(57)【要約】【目的】  腕、背中、胸等の身体の動きに追従することで、肩ひものずれ落ち等の着崩れを防止することができるブラジャー等を提供する。【構成】  左右一対のカップ部３と前記カップ部３に連結された左右一対の肩ひも１とを備え、前記カップ部３の湾曲部の両脇側から背面布２が設けられたブラジャー等において、前記肩ひも１の１箇所または複数箇所に適度な張力で帯片９が引き出されたり引き戻されたりする長さ伸縮具５を設けることによって、肩ひも１の長さを身体の動きに追従させ、肩ひも１のずれ落ち等の着崩れを防止する。  また、背面布２や中央連結布４に長さ伸縮具６、７を設けることによって、胸部への圧迫およびカップの位置ずれを防止する。【選択図】    図１
2005029950.tif 000002
【特許請求の範囲】
【請求項１】
左右一対のカップ部３と、前記カップ部３に連結された左右一対の肩ひもとを備え、前記カップ部３の湾曲部の両脇側から背面布２が設けられたブラジャー等において、前記肩ひも１の１箇所または複数箇所に、適度な張力で帯片９が引き出されたり引き戻されたりする長さ伸縮具５を設けたことを特徴とするブラジャー等。
【請求項２】
前記背面布２の１箇所または複数箇所に、前記長さ伸縮具６を設けたことを特徴とするブラジャー等。
【請求項３】
前記カップ部３の中央連結布４の１箇所または複数箇所に、前記長さ伸縮具７を設けたことを特徴とするブラジャー等。
【請求項４】
請求項１乃至請求項３のいずれか１項に記載された長さ伸縮具であって、帯片９の張力調整が可能なゴム１３等のねじり力によって回転筒１１に巻き付けられた帯片９が、ねじり力以上の張力で引き出され、張力を緩めると回転筒１１に巻き戻される構造をしたことを特徴とする長さ伸縮具。
【発明の詳細な説明】
【発明の詳細な説明】
【技術分野】
【０００１】  ブラジャー、ブラスリップ、ブラキャミソール、ボディスーツ、ボディシェーバ、ボディスリップ、キャミソール、水着等のストラップすなわち肩ひもを有するブラジャー等の下着衣類及びブラジャー、ビキニ水着等の背面布を有するブラジャー等の下着衣類に関する。
【従来技術】
【０００２】  従来のブラジャー等においては、ブラジャー等を着用している女性が腕の上げ下げ等通常の身体の動きをした時、それに伴って肩も連動して上下動するが、ブラジャー等の肩ひもがこの動きに追従できず、肩からブラジャー等の肩ひもがずれ落ちる現象が生じていた。
そこで、弾力性のある長短２本の肩ひもを背面で重ね、大きく屈んだ動作に対して肩ひもの締め付けを強くした提案（特開２００２−２３５２０８）や、肩ひもの幅方向で伸縮強度を変化させて、肩に均一な接地圧が確保できるようにした提案（特開２００２−３０９４０８）がされているが、前者の場合ではバスト及び肩への負担が大きく肩こりの原因にもなり、また、後者の場合は急激な動きへの追従が不十分である。
【０００３】
【特許文献１】特開２００２−２３５２０８号公報（第１図）
【特許文献２】特開２００２−３０９４０８号公報（第１図）
【０００４】  また、ブラジャー等の背面布には留め具が設けられており、着用者の体格に合わせて数段階に長さ調節できるようになっているが、深呼吸したり背中を丸めたりする動きに対しては、伸縮性のある素材を背面布に使用することによって対応している。しかし、ブラジャー等の位置ずれを防止するため背面布の伸縮力は強くなっており、着用した状態で少し伸ばしても胸部への圧迫が強く、このような状況を長時間持続することは苦痛を伴っていた。
【発明が解決しようとする課題】
【０００５】  上記従来のブラジャー等は、大きな身体の変形を伴う動作や急激な動作への追従が不十分なことによって肩ひものずれ落ちを起こしたり、ずれ防止のため締め付けを強くすることによって肩こりや胸部圧迫を引き起こしている。
本発明は、これらの課題を解決するために成されたものであり、着用者に圧迫感を与えず、腕、背中、胸等の身体の動きに追従することで肩ひものずれ落ち等の着崩れを防止することができるブラジャー等を提供することを目的とする。
【課題を解決するための手段】
【０００６】  上記目的を達成するため、本発明は、左右一対のカップ部３と前記カップ部３に連結された左右一対の肩ひも１とを備え、前記カップ部３の湾曲部の両脇側から背面布２が設けられたブラジャー等において、前記肩ひも１の１箇所または複数箇所に適度な張力で帯片９が引き出されたり、引き戻されたりする長さ伸縮具を設けたことを特徴とする。（請求項１）
上体を大きく変形させる動きや腕、肩を急激に上下させる動きを行っても、肩ひもに前記長さ伸縮具を設けることによって、肩ひもの長さがこれらの身体の動きに追従するため、肩ひものずれ落ち等の着崩れを防止することができる。
【０００７】  本発明の請求項２は、胸部への圧迫を防止するために、前記背面布２に長さ伸縮具６を設けたものであり、請求項３は、胸部への圧迫防止とカップの位置ずれ防止のために、前記カップ部３の中央連結布４に長さ伸縮具７を設けたものである。
【０００８】  これらの長さ伸縮具は、ゴム１３等のねじり力によって帯片９が回転筒１１に巻き付けられており、ねじり力以上の張力が帯片９にかかると帯片９が引き出され、張力が緩むと回転筒１１に巻き戻される構造になっている。また、ゴム１３等のねじり力は調整が出来るため、着用者の体型に合わせて帯片９の張力を調整することができる。（請求項４）
【発明を実施するための最良の形態】
【０００９】  以下、本発明の実施の形態を図面に従って説明する。
図１は、この発明に係るブラジャーの実施形態を示す外観斜視図である。図において、１は肩ひも、２は背面布、３はカップ部、４は中央連結布であり、長さ伸縮具５が肩ひも１に、長さ伸縮具６が背面布２に、長さ伸縮具７が中央連結布４に設けられている。【００１０】  図２、図３は、長さ伸縮具５の取り付け部の拡大図である。長さ伸縮具５の本体ケースはカップ部３の上端部と連結しており、連結環８を介して肩ひも１と連結している帯片９は、肩ひも１により引っ張られると長さ伸縮具５の本体ケースから引き出されて伸び、肩ひも１の張力が緩むと長さ伸縮具５の本体ケースに引き戻される。【００１１】  図４は、長さ伸縮具５、６、７の構造図である。図において、１０は本体ケース、１１は回転筒、１２はハンガー、１３はゴム、１４はエンドキャップであり、帯片９はゴム１３のねじり力によって回転筒１１に巻き付けられている。【００１２】  本実施形態は以上の構成からなり、着用者が腕や肩の上下動作を急激に行う場合、腕や肩の上方への動きに対しては長さ伸縮具５の帯片９が伸び、下方への動きに対しては長さ伸縮具５の帯片９が巻き戻されて、肩ひも１と肩の間に緩みが生ずることなく常に肩ひも１が身体の動きに追従するため、肩ひも１のずれ落ちが防止できる。
帯片９の張力は、ハンガー１２を回し、ゴム１３のねじり力を変えることによって調整ができる。帯片９の張力を発生させるため、本実施例ではゴムを使用しているが、代わりにバネやゼンマイを使用してもよい。【００１３】  また、着用者が背中を丸めたり胸を広げたりする動作を行う場合、背中を丸める動きに対しては長さ伸縮具６の帯片９が伸び、胸を広げる動きに対しては長さ伸縮具７の帯片９が伸びて、背面布２やカップ部３が常に身体の動きに追従するため、着用者の胸部への圧迫およびカップの位置ずれが防止できる。
【発明の効果】
【００１４】  以上説明したように、本発明によれば、肩ひも１、背面布２、中央連結布４に適度な張力で帯片９が引き出されたり引き戻されたりする長さ伸縮具５、６、７を設けることによって、肩ひも１、背面布２、カップ部３が身体の動きに追従するため、肩ひものずれ落ち等の着崩れおよび胸部への圧迫を防止することができる。
【図面の簡単な説明】
【図１】本発明の一実施例の外観斜視図
【図２】本発明の取り付け部の拡大図
【図３】本発明の取り付け部の拡大図で、帯片が引き出された状態
【図４】本発明の一実施例の構造図
【符号の説明】
１    肩ひも
２    背面布
３    カップ部
４    中央連結布
５、６、７    長さ伸縮具
８    連結環
９    帯片
１０  本体ケース
１１  回転筒
１２  ハンガー
１３  ゴム
１４  エンドキャップ
１５  ピン
【図１】
2005029950.tif 000003
【図２】
2005029950.tif 000004
【図３】
2005029950.tif 000005
【図４】
2005029950.tif 000006